Podtech/llm-jp-corpus-v4-ja_patent huggingface dataset:
(57)【要約】      （修正有）【課題】コンビニエンスストアで、平台の冷凍ケ−ス内の商品陳列用バスケット内で、ひとつのバスケット内に、種類が異なる複数アイテムの商品を陳列する時に、商品の荷くずれや、商品の移動などを防ぎ、きれいに整理された、見やすく、買いやすい、商品陳列を行なうことができる自在式コンビニアイス仕切り板を提供する。【解決手段】自在式コンビニアイス仕切り板１は、平台の冷凍ケース内の商品陳列用バスケット内に設置し、ケース内温度に耐えられ、バスケット内に入る大きさのうすい板に、通気性がよくなるように数箇所穴をあけたもので、陳列してある商品２と商品２の間にはさみ込んで商品２の荷くずれや移動を防ぐ。商品２の荷くずれや、移動がおきてほしくない所に、商品２を移動させることなく、上から簡単に、商品２と商品２の間に、自在式コンビニアイス仕切り板１をはさみ込むことにより、きれいに整理された、見やすく、買いやすい、商品陳列が行なえるようになる。【選択図】図３
0003230935.tif 000002
【実用新案登録請求の範囲】
【請求項１】
コンビニエンスストアで、アイスクリ−ムや冷凍食品を販売している平台の冷凍ケ−ス内の商品陳列用バスケット内で、陳列してある商品と商品の間に、商品を移動させることなく、上から簡単に、はさみ込んで、商品の荷くずれや商品の移動を防ぎ、簡単に見やすく買いやすい商品陳列が行えるようにするための、自在式コンビニアイス仕切り板。
【考案の詳細な説明】
【技術分野】
【０００１】  本考案は、コンビニエンスストアで、アイスクリ−ムや冷凍食品を販売している、平台の冷凍ケ−ス内の商品陳列用バスケット内で、陳列してある商品と商品の間に、商品を移動させることなく、上から簡単に、はさみ込み、商品の荷くずれや、商品の移動を防ぎ、簡単に、見やすく、買いやすい商品陳列が行なえるようにするための、自在式コンビニアイス仕切り板です。
【背景技術】
【０００２】  現在、コンビニエンスストアで、アイスクリ−ムや冷凍食品など、メ−カ−の商品開発御努力により、数多くの商品が発売され、お店でも、数多くの商品を販売させていただけようになりました。しかし、販売スペ−スには、かぎりがあり、どうしても、ひとつの商品陳列用バスケット内に、ちがう数アイテムを陳列しなければならない時があり、販売状況によって、商品の荷くずれや、商品の移動などにより、きれいに整理された、見やすく、買いやすい、商品陳列を行なうことが、むずかしくなってきた為。
【考案の概要】
【考案が解決しようとする課題】
【０００３】  コンビニエンスストアで、アイスクリ−ムや冷凍食品を陳列販売する時、ひとつの商品陳列用バスケット内に、ちがう数アイテムの商品を陳列しなければならない時があり、販売状況によって、商品の荷くずれや、商品の移動などにより、きれいに整理された、見やすく、買いやすい、商品陳列を行なうことがむずかしくなってきた為、それを解決するため、商品と商品の間に、なにか仕切り板のようなものを設置し、問題を解決しょうと考えました。しかし、商品と商品の間に、仕切り板を設置する時、毎回毎回、冷凍商品を、陳列用バスケットから取り出して、設置後、また商品をもどさなければならないような、仕切り板設置作業では、時間と手間がかかり、冷凍食品も、陳列用バスケットから取り出すことにより、とけてしまうリスクもあり、時間と手間と品質低下の課題が、のこってしまうと考えました。
【課題を解決するための手段】
【０００４】  コンビニエンスストアで、アイスクリ−ムや冷凍食品を陳列している、商品陳列用バスケット内で、商品の荷くずれや、商品の移動がおきてほしくない所に、商品を移動させることなく、上から簡単に、商品と商品の間に、自在式コンビニアイス仕切り板を、はさみ込むことにより、きれいに、整理された、見やすく、買いやすい、商品陳列が行なえるようになると考えました。
【考案の効果】
【０００５】  コンビニエンスストアで、アイスクリ−ムや冷凍食品を陳列している、商品陳列用バスケット内で、ひとつのバスケット内に、ちがう数アイテムを陳列するときに、商品の荷くずれや、商品の移動が、おきてほしくない所に、商品を移動させることなく、上から簡単に、商品と商品の間に、自在式コンビニアイス仕切り板をはさみ込むことにより、きれいに、整理された、見やすく、買いやすい商品陳列が行なえるようになります。また、商品陳列量が多い時はタテ、商品の陳列量が少ない時はヨコに使用することにより、商品陳列量に、あわせて、簡単自在に使用ができ、なにより商品と商品の間から商品を移動させることなく、上から簡単に、ぬき、さし、するだけなので、作業時間も手間もかからないため、仕切り板設置作業にともない商品がとける品質低下の心配もなくなります。
【図面の簡単な説明】
【０００６】
【図１】  自在式コンビニアイス仕切り板の正面図です。
【図２】  自在式コンビニアイス仕切り板の側面図です。
【図３】  自在式コンビニアイス仕切り板の使用例斜視図です。
【考案を実施するための形態】
【０００７】  コンビニエンスストアで、アイスクリ−ムや冷凍食品を陳列している商品陳列用バスケット内で、ひとつのバスケット内に、ちがう数アイテムの商品を陳列する時に、商品の荷くずれや、商品の移動がおきてほしくない所に、商品を移動させることなく、上から簡単に、商品と商品の間に、自在式コンビニアイス仕切り板をはさみ込み、きれいに、整理された、見やすく、買いやすい、商品陳列が行なえるようになります。
【考案を実施するための形態】
【実施例】
【０００８】  図３は、本考案の実施例の斜視図です。
コンビニエンスストアで、アイスクリ−ムや冷凍食品を陳列している、商品陳列用バスケット内で、ひとつのバスケット内に、ちがう数アイテムの商品を陳列する時に、商品の荷くずれや、商品の移動がおきてほしくない所に、商品を移動させることなく、上から簡単に、商品と商品の間に、自在式コンビニアイス仕切り板をはさみ込み、きれいに、整理され、見やすく、買いやすい、商品陳列が、行なえるようになります。また、商品の陳列量が、多いときはタテ、商品の陳列量が少ないときはヨコ、に使用することより、商品陳列量に、あわせて、簡単自在に使用ができ、なにより、商品と商品の間から、商品を移動させることなく、上から簡単に、ぬき、さし、するだけなので、作業時間も、手間も、かからないため、仕切り板設置作業にともない商品がとける、品質低下の心配もなくなります。
【符号の説明】
【０００９】１  自在式コンビニアイス仕切り板
２  冷凍食品
３  商品陳列用バスケット
【図１】
0003230935.tif 000003
【図２】
0003230935.tif 000004
【図３】
0003230935.tif 000005
【手続補正書】
【提出日】令和2年12月13日(2020.12.13)
【手続補正１】
【補正対象書類名】実用新案登録請求の範囲
【補正対象項目名】請求項１
【補正方法】変更
【補正の内容】
【請求項１】
コンビニエンスストアで、アイスクリ−ムや冷凍食品を販売している、平台の冷凍ケ−ス内の商品陳列用バスケット内に、ケ−ス内温度に耐えられ、バスケット内に入る大きさのうすい板に、通気性がよくなるように数箇所穴をあけ、陳列してある商品と商品の間にはさみ込んで商品の荷くずれや移動を防ぐための自在式コンビニアイス仕切り板
(57)【要約】      （修正有）【課題】自力で自宅のお風呂に入れなくて困っていても、椅子に座ったままでお風呂のお湯に入る事が出来るようになるお風呂のお湯で洗える器を提供する。【解決手段】お風呂のお湯で洗える器であって、体を洗い包む部分のシート１を備え、肩掛けで固定でき給湯開閉部５を備える。体を包む部分シート１で体を包み体を洗うことが出来、肩掛け４で固定出来、ホース開口部２からでもお湯で体を洗い流し排水ホースキャップ３で排水でき、お湯を溜めることもできる。【選択図】図１
0003230930.tif 000002
【実用新案登録請求の範囲】
【請求項１】
椅子にすわったまま、お風呂のお湯に入れるように、お湯をもらさず、しんしゅくし  体にやさいいそざい  のびちじみなどじゅうなん性などが有り、体をつつみこみ体をやさしく洗える、お湯の出し入れが出来る事を特徴とするお湯に入れる器。
【考案の詳細な説明】
【考案の詳細な説明】
【技術分野】
【０００１】本考案は自力でお風呂に入る事が出来ず介助を必要とされる方の為のお風呂のお湯に入る為に関する物である．
【背景技術】
【０００２】自力でお風呂に入れない
自宅のお風呂に入れず困っておりました．
【考案の概要】
【考案が解決しようとする課題】
【０００３】お風呂のお湯に入る事が出来ずに困りしかたがなく何日も入れない日があります．
【課題を解決するための手段】
【０００４】椅子にすわったまま、体をつつみこみ、お湯を出し入れ出来るようにします．
【考案の効果】
【０００５】椅子に座ったまま、体をつつみこみ、お湯がもれないようにお湯を出し入れ出来る．
お湯の開口部は、ネジまわし、チューブホースをつなぎ合わせる事が出来ます。
【図面の簡単な説明】
【０００６】
【図１】お風呂のお湯に入れる器図
【考案を実施するための形態】
【実施例】
【０００７】お風呂のお湯に入れる器正面図
【符号の説明】
【０００８】１．  お風呂のお湯に入れる器全体
【図１】
0003230930.tif 000003
【手続補正書】
【提出日】令和2年10月28日(2020.10.28)
【手続補正１】
【補正対象書類名】実用新案登録請求の範囲
【補正対象項目名】全文
【補正方法】変更
【補正の内容】
【実用新案登録請求の範囲】
【請求項１】
お風呂のお湯で洗える器において体を洗い包む部分のシートを備え
肩掛けで固定でき給湯開閉部を備えた事を特徴とする前期記載のお風呂のお湯で体が洗える器。
【手続補正２】
【補正対象書類名】明細書
【補正対象項目名】全文
【補正方法】変更
【補正の内容】
【考案の詳細な説明】
【技術分野】
【０００１】
介護を必要とされる方など、いろいろな事情で家庭の家のお風呂に入る事が出来ずに困ってある方の為に、お風呂に入る事が出来なくても、椅子に座ったままでもお風呂で体が洗う事が出来るようにしなければいけません。
【背景技術】
【０００２】
介護を必要とされる方が、どうしてもお風呂に入らなければいけないのに、椅子に座ることはできても、お風呂に入る事が出来ない時とても困ります。そのような時、容易に椅子に座ったままでも、お風呂のように体が洗う事が出来るようにする必要がある時もあります。ビニールなどの素材でも、水が漏れないよう厚さと硬さ柔らかさなどを調節し、お湯を入れる事が出来る開口部とお湯を排出する事が出来る排水口ホースを備え椅子に座ったまま体が洗える、椅子に座ったまま体が洗える器を提供する。
【考案の概要】
【考案が解決しようとする課題】
【０００３】
介助のもと、お風呂に入って体を洗わなければいけないのに、どうしてもお風呂に入って体を洗う事が出来ない時が困ります。そのような時お風呂に入れなくても容易に体を洗う事が出来るようにしなければいけません。その為にはお湯と石鹸で体を洗っても、お湯が漏れないようにしなければいけません。その為にお湯、水分が漏れないように、下の足の方から洗う事が出来、序次に洗える位置が上になるように椅子に座って洗える器も上まで持ち上げ体を包みます。
【課題を解決するための手段】
【０００４】
介護を必要とされる方が介助のもとお風呂に入れなくても体が洗えるように、お風呂のお湯で体が洗える器、１、体を包む部分シートで体を包み体を洗うことが出来４、５、肩掛けで固定出来、２、ホース開口部からでもお湯で体を洗い流し排水ホースキャップで排水でき、お湯を溜めることもできます。
【考案の効果】
【０００５】
体を洗い、体をお湯で流す事が出来るように開口部と排水口、ホースをそなえ漏れないようにビニールなどの素材で下から上にあげて体を包み込むことが出来、椅子に座ったまま体を洗え、お湯で体を流すことが出来る用にする事により、椅子の上でも体が洗える事を可能にしました。
【図面の簡単な説明】
【０００６】
図１はお風呂のお湯で洗える器全体図
【考案を実施するための形態】
【実施例】
【０００７】
図１はお風呂のお湯で洗える器全体図、１は体を包むシート、滑らない素材を備える事が出来ます。２はホース開口部、３は排水ホースネジキャップ、４は肩掛け、５は開閉部
【符号の説明】
【０００８】
１、体を包む部分シート
２、ホース開口部
３、排水ホースネジキャップ
４、肩掛け
５、開閉部
【手続補正３】
【補正対象書類名】図面
【補正対象項目名】全図
【補正方法】変更
【補正の内容】
【図１】
0003230930.tif 000004
(57)【要約】      （修正有）【課題】弓道の矢を立て置く状態と収納する状態を両立させ、中身を視認できる矢筒であって、中身の視認性に優れ簡単に倒れることのない矢筒を提供する。【解決手段】二つのアクリルパイプ１をアクリルパイプと径の異なるパイプ２をもって連結する構造をしており、分割して切込入りのアクリルパイプに十字に組み合わせた足部品３を差し込むことにより矢立としての機能を有し、無色透明を特徴とする矢筒であって、両端にソケットによる蓋を施した。【選択図】図１
0003230950.tif 000002
【実用新案登録請求の範囲】
【請求項１】
両端に蓋を施した無色透明の矢筒
【請求項２】
径の異なる筒で連結することができ、分割することにより足となる部品を取り付けることで矢立としての機能を有する矢筒。
【考案の詳細な説明】
【技術分野】
【０００１】
本考案は、弓道の矢（以下、単に矢という。）を立て置く状態と収納する二つの状態を両立させつつ外から中身を視認できる矢筒に関するものである。
【背景技術】
【０００２】
弓道において矢は武器であるため保管や紛失に十分配慮しなくてはならない。そのため保管や安全に持ち運ぶための道具として矢筒が広く知られている。
【０００３】
しかし、矢筒はほとんとが自立しないため壁等に立てかける状態であることが多い。大会等人が多い場所においてはそのような場所がなくまた立てかけていても倒れることがしばしばある。また、横に寝かせる状態は誤って踏む危険性もあるうえ、矢羽根が潰れる為推奨されていない。
【０００４】
さらに競技は複数回に分けて行われることが多くので一時的に矢を収納する矢立が必要になることが多いが一般的に道場の矢立は人数の関係で使用できないことが多い。そのため矢筒に収納することが多いのだが蓋を開けないと確認できない点で手間がかかるという問題があった。また弓道は荷物が多いため、矢の収納忘れによる忘れ物が多くある。
【考案の概要】
【考案が解決しようとする課題】
【０００５】
解決しようする問題点は、矢筒の中身が視認しづらい点と安定した自立をしない点である。
【課題を解決するための手段】
【０００６】
本考案（１）は、素材としてアクリル樹脂を用いることで常に中身を目視にて確認できる矢筒である。
本考案（２）は、矢筒を分割し部品をつけることで矢立としてとしての機能を有する矢筒である。
【考案の効果】
【０００７】
本考案（１）の矢筒は素材にアクリル樹脂を用いるため透過性に優れ収納してあるかどうかを視認することができる。
そのため矢の収納忘れを防ぐことができるうえ、誤って他人の矢を入れてしまった後でも気づくことができるという利点がある。
本考案（２）の矢筒は分割して高さを調整し、足としての部品を付けることで矢立として活用できるようにし、矢及び矢筒の置き場所問題を解消することができる。
また足となる部品を別にすることで持ち運びの際場所を取らないようにしており従来の矢筒と変わらないサイズを保っている。
【図面の簡単な説明】
【０００８】
【図１】本考案の全体図である。矢筒として組立てた状態であり、足３は矢筒内に収納できる。
【図２】本考案の分割図である。径の違いにより分割できることを示している。
【図３】本考案の組立て図である。アクリルパイプ１ａと足３を組み合わせることで矢立としての状態を示す。
【符号の説明】
【０００９】
１  アクリルパイプ
１ａ  アクリルパイプ（切込入り）
2  塩ビパイプ
2  塩ビソケット
3  足部品
【図１】
0003230950.tif 000003
【図２】
0003230950.tif 000004
【図３】
0003230950.tif 000005
【手続補正書】
【提出日】令和2年12月10日(2020.12.10)
【手続補正１】
【補正対象書類名】実用新案登録請求の範囲
【補正対象項目名】全文
【補正方法】変更
【補正の内容】
【実用新案登録請求の範囲】
【請求項１】
両端をソケットにより蓋を施した無色透明の矢筒
【請求項２】
二つのアクリルパイプをアクリルパイプと径の異なるパイプをもって連結する構造をしており、分割して切込入りのアクリルパイプに十字に組み合わせた足部品を差し込むことにより矢立としての機能を有する、無色透明を特徴とする請求項１記載の矢筒
【手続補正２】
【補正対象書類名】明細書
【補正対象項目名】０００９
【補正方法】変更
【補正の内容】
【０００９】
1  アクリルパイプ
1a  アクリルパイプ（切込入り）
2  パイプ
2a  ソケット
3  足部品
(57)【要約】      （修正有）【課題】粉砕機でミックスされたワイヤーとガラスを手際よく分類できるコンベアを提供する。【解決手段】ワイヤーの量に適した除去作業に砂鉄・マグネットを適用したコンベア４であって、コンベア架台の上に開閉式扉付きＢＯＸを取り付け、いつでも砂鉄塗料を塗ったシリンダー５とネオジウムマグネットペーパーを交換出来るようにした。シリンダーと交換したネオジウムマグネットペーパーは扉内部に張り付け収納が出来る。【選択図】図３
0003230910.tif 000002
【実用新案登録請求の範囲】
【請求項１】
▲４▼の上に▲２▼を設置する。▲３▼さんのアームでサポートし、▲２▼の枠に▲１▼のネオジウムマグネットを貼り付ける。開閉枠には、たたら吹を使用。
【請求項２】
▲５▼にウレタンジンクリッチプライマーと砂鉄を混ぜた塗料を塗装
開閉枠は多目的に利用出来ることを立証。
ネオジウムマグネットペーパーを外し、塗装シリンダーを装着し、▲２▼の内側にマグネットペーパーを収納。シリンダーはモーターで回転させる。
【考案の詳細な説明】
【技術分野】
【０００１】本発明は使用済ガラスの破片粉砕しリサイクルする為のワイヤーとガラスの分離作業に関する。
【背景技術】
【０００２】ワイヤー入ガラスを粉砕後の分離作業に磁石と砂鉄を用いた。【０００３】磁石は強力なペーパー磁石を採用。鉄枠を用いて張り付ける。【０００４】シリンダーの取り付けの場合、シリンダーには砂鉄を混入した塗料を塗ったものを使用する。
【非特許文献１】ミスミ  ｉｎ  ＣＡＤ  Ｌｉｂｒａｒｙ  Ｎｏ．００００３９
【非特許文献２】ミスミ  開閉枠  ＴＦＣＧ
【非特許文献３】ミスミ  磁石ＰＡＰＥＲ  ＨＸＰＦ
【非特許文献４】技術情報館  ＳＥＫＩＧＩＮ  ｓｅｋｉｇｉｎ．ｊｐ
【非特許文献５】東京都環境局（社）日本塗料工業会  ｈｔｔｐ：／／ｗｗｗ．ｋａｎｋｙｏ．ｍｅｔｒｏ．ｔｏｋｙｏ．ｌｇ．ｊｐ
【考案の概要】
【考案が解決しようとする課題】
【０００５】粉砕機でミックスされたワイヤーとガラスが如何に手際よく分類されるか。
【課題を解決するための手段】
【０００６】強力な磁力でワイヤーを取り上げて分類する。【０００７】ワイヤー付きガラスをハンマーで割り、ワイヤー部分に磁石を充てると分類できた。
【図面の簡単な説明】
【０００８】
【図１】  正面図
【図２】  側面図
【図３】  平面図
【考案を実施するための形態】
【０００９】図１では、粉砕されたワイヤーガラスがコンベアーで運ばれて来た正面図
図２では、磁石との距離、アーム設置場所側面図
図３ペーパーをシリンダーに取り替えた場合の平面図
シリンダーに変更した場合、スプロケット、ベアリング、チェーン、モーターを利用するが、内枠にネオジウムを張り付けます。
【符号の説明】
【００１０】１．    ネオジウムマグネットペーパー
２．    開閉枠
３．    アーム
４．    コンベア
５．    シリンダー
【図１】
0003230910.tif 000003
【図２】
0003230910.tif 000004
【図３】
0003230910.tif 000005
【手続補正書】
【提出日】令和2年9月30日(2020.9.30)
【手続補正１】
【補正対象書類名】実用新案登録請求の範囲
【補正対象項目名】全文
【補正方法】変更
【補正の内容】
【実用新案登録請求の範囲】
【請求項１】
コンベアの架台の上に底面は空洞であり枠がたたら吹きである上部開閉式扉枠型ＢＯＸが設置され前記ＢＯＸの底面にネオジウムマグネットペーパーが貼り付けられコンベアと上部開閉式扉枠型ＢＯＸが不等辺山形鋼によって連結された
コンベア。
【請求項２】
開閉式扉枠型ＢＯＸに取付られたネオジウムペーパーの交換利用として砂鉄とウレタンジンクリッチプライマーを混ぜた塗料を塗装したシリンダーを取付けますが、機能の役割としてはシリンダーの両端にスプロケットを装着しチェーンを取付けて回転させる仕組み。
ガラスのクラッシュさせた際のＷＡＩＲＥの量により交換。
請求項１のコンベア。
【手続補正書】
【提出日】令和2年11月23日(2020.11.23)
【手続補正１】
【補正対象書類名】実用新案登録請求の範囲
【補正対象項目名】全文
【補正方法】変更
【補正の内容】
【実用新案登録請求の範囲】
【請求項１】
コンベアの架台の上に底面は空洞であり枠がたたら吹きである上部開閉式扉枠型ＢＯＸが設置され前記ＢＯＸの底面にネオジウムマグネットペーパーが貼り付けられコンベアと上部開閉式扉枠型ＢＯＸがＡＲＭによって連結されたコンベア。
【請求項２】
砂鉄とウレタンジンクリッチプライマーを混ぜた塗料を塗装したシリンダーを上部開閉式扉枠型ＢＯＸ内に取り付けられたコンベアと上部開閉式扉枠型ＢＯＸがＡＲＭによって連結された請求項１のコンベア。
(57)【要約】      （修正有）【課題】抗ウイルス性が付与された光触媒タックラベルを提供する。【解決手段】光触媒タックラベル１は、基材３の表面に光触媒層２が塗布されており、基材３の裏面に接着剤層４を介して剥離紙５が貼り付けられており、剥離紙５を剥がしたタックシール１を貼付対象物に接着することができる。タックラベル１は、貼付対象物の外面形状に沿った形状に形成されている。光触媒タックラベル１には厚み方向に貫通する直線または曲線からなる切り取り線が形成されていることが好ましい。【選択図】図１
0003230917.tif 000002
【実用新案登録請求の範囲】
【請求項１】
基材の表面に光触媒剤層が塗布されており、基材の裏面に接着剤層を介して剥離紙が貼り付けられており、剥離紙を剥がしたタックシールを貼付対象物に接着しうることを特徴とする光触媒タックラベル。
【請求項２】
タックラベルが、貼付対象物の外面形状に沿った形状に形成されていることを特徴とする請求項１に記載の光触媒タックラベル。
【請求項３】
光触媒タックラベルに厚み方向に貫通する直線または曲線からなる切り取り線が形成されてなることを特徴とする請求項１または２に記載の光触媒タックラベル。
【考案の詳細な説明】
【技術分野】
【０００１】
本考案は、抗ウイルス性が付与されたタックラベルに関する。
【背景技術】
【０００２】
タックラベルは、紙、布、フィルム等の基材の一面に接着剤の層と、この接着剤の層の上面に離型層が設けられたものであるが、従来は、例えば特開２００１−４８７１０号では防虫、防かびの機能が主たるものであり、抗ウイルスに対する効果はなかった。
【０００３】
【先行技術文献】
【特許文献】
【０００４】
【特許文献１】特開２００１−４８７１０号公報
【考案の概要】
【考案が解決しようとする課題】
【０００５】
この考案が解決しようとする問題点は、光触媒により生じた抗ウイルス性、抗菌性を有する光触媒剤をタックラベルの基剤表面に塗布し、ウイルスの感染予防に資するタックラベルを提供することにある。
【課題を解決するための手段】
【０００６】
本考案は、上記課題を解決するために、この考案では、
基材の表面に光触媒剤層が塗布されており、基材の裏面に接着剤層を介して剥離紙が貼り付けられており、剥離紙を剥がしたタックシールを貼付対象物に接着しうることを特徴とする。
【考案の効果】
【０００７】
本考案の光触媒タックラベルは、剥離紙を剥離し接着剤層を介して基材を貼付対象物に貼り付ける。
基材の表面には光触媒層が塗布されているので、基材の表面を触る人やものに抗ウイルスの効果を奏することができる。
このタックシールは、貼付対象物の形状に沿った形状になっているのが好ましく、貼付対象物と基材との間に隙間が生じないように貼り付けることができる。
これにより、貼付対象物の外面に付着していたウイルスが人の手指に付着することがなく、また人の手指やものに付着したウイルスに対しては光触媒層と接触することで抗ウイルスの効果が生じる。
【図面の簡単な説明】
【０００８】
【図１】光触媒タックラベルの断面図である。
【図２】実施例２の光触媒タックラベルのドアノブに使用する場合の説明図である。
【図３】タックラベルの一例を示す平面図である。
【考案を実施するための形態】
【０００９】
以下にこの考案の光触媒タックラベルの好適実施例について図面を参照しながら説明する。
【実施例１】
【００１０】
図１の光触媒タックラベル１は、基材３の表面に光触媒層２が塗布されている。
前記基材３の裏面には接着剤層４を介して剥離紙５が接着されている。
上記タックラベル１は、貼付対象物１０の貼付面の形状に沿った形状からなっている。
【００１１】
上記形状は、あらかじめ正方形、長方形、円形、楕円形などの所定の形状に形成されているものでもよい。
あるいは、図２に示すように、光触媒タックラベル１を厚み方向に貫通する直線または曲線からなる切り取り線６が設けられて、所定の形状に切り取ることができるものでもよい。
図３は、１枚の台紙を剥離紙５とし、その上に一定間隔に複数の光触媒タックラベル１を並べた場合を示すもので、図示例では光触媒タックラベル１が矩形の四隅をアール状に面取りした形状からなっており、１枚づつ台紙となる剥離紙５から剥がして使用に供するようになっている。
【００１２】
［基材］
基材３は、一例としてクラフト紙などの紙材を用いたが、光触媒の効果を損なうことがないポリウレタンフォームその他の合成樹脂フィルムや合成紙などを用いてもよい。
【００１３】
［光触媒層］
前記基材３の表面に光触媒層２が一体に形成される。
これは光触媒コーティング剤を基材３の表面に塗布したり光触媒塗料を塗装するなど公知の方法によって基材３の表面側だけに光触媒層２が形成される。
【００１４】
［接着剤層］
前記基材３の裏面には接着剤層４が形成されている。
なお基材３の裏面にはポリエチレンラミネート層３’を一体に積層し、該ポリエチレンラミネート層３’に接着剤層４を設けてもよい。
【００１５】
［剥離紙］
前記接着剤層４には剥離紙５が着脱可能に貼り付けられて、基材３の裏面側を覆っている。
【００１６】
光触媒タックラベル１は、上記構成からなっているので、日常生活で使用頻度の高い個所に前記タックラペル１を貼り、感染予防に用いることができる。
例えば、一例を示すと、スマートフォンなどの裏面、複数の者や不特定の者が素手で触るトイレのドアのぶ、エスカレーターの手すり、エレベーターの階数指示ボタン、バスの停留ボタン、電車のつり革や手すりなどの不特定または多数が触る部分に用いる。
【００１７】
また家庭の一例を示せば、自宅玄関のドアのぶ、階段の手すり、電灯のスイッチ、蛇口など素手で触る部分などに貼ることができる。
また衣服の場合、タックラペル１の表面で軽く叩いて接触させることで、座席やソファーなどに付着したウイルスの除去予防に効果的である。
【００１８】
本考案は、上記実施例に限定されるものではなく、本考案の要旨を変更しない範囲で種々変更しうること勿論である。
【符号の説明】
【００１９】
１    光触媒タックラベル
２    光触媒層
３    基材
３’  ポリエチレンラミネート層
４    接着剤層
５    剥離紙
６    切り取り線
１０    貼付対象物
【図１】
0003230917.tif 000003
【図２】
0003230917.tif 000004
【図３】
0003230917.tif 000005
(57)【要約】【課題】  ウエイトトレーニングや各種運動競技の強化に使用できる運動用ウエイト器具を提供する。【解決手段】  鉛細棒体からなる芯材１を、ニトリルブタジエンラバーで形成した被覆部２で被覆すると共に、両端にポリプロピレンで形成したキャップ体３を装着したもので、撓曲可能で且つ撓曲状態を維持する保形性を備えた鉛細棒状の器具となり、腕や足に巻き付け運動時のウエイトとして使用し、また運動器具に巻き付けて当該運動器具の重量を増加させて当該運動のトレーニングに供する。【選択図】図１
0003230993.tif 000002
【実用新案登録請求の範囲】
【請求項１】
鉛細棒体からなる芯材を、ニトリルブタジエンラバーからなる被覆部で被覆すると共に、両端にポリプロピレンで形成したキャップ体を装着してなる運動用ウエイト器具。
【請求項２】
直径１．５〜２．５ｃｍ、長さ４０〜９０ｃｍ、重量０．２〜１ｋｇの範囲内で形成した請求項１記載の運動用ウエイト器具。
【請求項３】
直径２ｃｍとし、長さの異なる複数の器具で構成した請求項２記載の運動用ウエイト器具。
【考案の詳細な説明】
【技術分野】
【０００１】
本考案は、運動用ウエイト器具に関するものである。
【背景技術】
【０００２】
ウエイトトレーニングは、周知のとおりダンベルやバーベル等の重量物（ウエイト器具）を用い、筋肉に対して負荷をかけて運動して筋力を高めることを目的とするもので、一般的なダンベルは鉄製で形状が一定で、その使用方法は限定されている。そこで従前より鉄製ダンベルと相違するウエイト器具が提案されている。
【０００３】
特許文献１には、固体粉末（金属粉）と熱可塑性エラストマーの混合物を、使用箇所に合わせた形状に形成すると共に、適宜な被覆材で被覆し、必要に応じて身体装着部材を付設したウエイト器具が開示されている。また特許文献２には、鉛粒を収納した鉛粒嚢を矩形柔軟材質のバッグ内に連鎖帯状に配分し、バッグの長手方向に環状把手を設けたウエイト器具が開示されている。
【先行技術文献】
【特許文献】
【０００４】
【特許文献１】特開２００７−１９５９４１号公報。
【特許文献２】登録実用新案３０８１０２６号公報。
【考案の概要】
【考案が解決しようとする課題】
【０００５】
特許文献１開示のウエイト器具は、使用目的に対応する形状および身体装着部材を備えているため、使用対象が限定しており汎用性に欠ける。また特許文献２においても鉛粒を採用しているが、身体装着構成は、矩形袋と把手であり、変形装着が可能であるが、座位、立位、伏位状態での運動に限定され、且つ器具の身体装着が不便である。
【０００６】
そこで本考案は、汎用性を備え且つ装着容易な新規な運動用ウエイト器具を提案したものである。
【課題を解決するための手段】
【０００７】
本考案に係る運動用ウエイト器具は、鉛細棒体からなる芯材を、ニトリルブタジエンラバーで形成した被覆部で被覆すると共に、両端にポリプロピレンで形成したキャップ体を装着してなることを特徴とするものである。
【０００８】
而して前記器具は、撓曲可能で且つ撓曲状態を維持する保形性を備えた鉛細棒状の器具となるので、腕や足に巻き付け運動時のウエイトとして使用し、また運動器具に巻き付けて当該運動器具の重量を増加させて当該運動のトレーニングに供するものである。
【考案の効果】
【０００９】
本考案の構成は上記のとおり、芯材が比重の大きい鉛棒であるから、所望重量で形成した場合、クッション性を備えた被覆部を相応に厚くすることができ、身体装着時の不快感がなくまた任意に撓曲可能であるから、装着部材を必要とせず所望箇所に簡単に装着して使用できるものである。
【図面の簡単な説明】
【００１０】
【図１】本考案の実施形態の全体図。
【図２】同正面図。
【図３】同使用状態の説明図（身体装着時）。
【図４】同図（運動器具装着時）。
【考案を実施するための形態】
【００１１】
次に本考案の実施形態について説明する。実施形態に示した運動用ウエイト器具Ａは、
鉛の細棒体からなる芯材１を、ニトリルブタジエンラバーからなる被覆部２で被覆すると共に、両端にポリプロピレンで形成したキャップ体３を装着したもので、芯材１は直径０．８ｃｍで、被覆部を０．６ｃｍ厚として、長さの異なる器具、例えば長さ４２ｃｍで０．３ｋｇの器具Ａ、長さ６８ｃｍで０．５ｋｇの器具Ａ１、長さ８０ｃｍで０．７５ｋｇの器具Ａ２、長さ９０ｃｍで１．５ｋｇの器具Ａ３のように長さ及び重量の異なる器具Ａを複数形成しておく。
【００１２】
器具使用は、図３に示すように、運動者の手首Ｂに巻き付けて装着し、また足首Ｃに巻き付けて装着し、各種の運動を行うことで、筋肉に負荷をかけてのトレーニングとなる。
【００１３】
また図４に示すように運動器具（ゴルフクラブＤ、野球のバットＥ）に器具Ａを巻き付けて素振りを行う等、当該スポーツの練習における筋肉強化に貢献することになる。
【符号の説明】
【００１４】
１    芯材
２    被覆部
３    キャップ体
Ａ，Ａ１，Ａ２，Ａ３    ウエイト器具
Ｂ    手首
Ｃ    足首
Ｄ    ゴルフクラブ
Ｅ    野球バット
【図１】
0003230993.tif 000003
【図２】
0003230993.tif 000004
【図３】
0003230993.tif 000005
【図４】
0003230993.tif 000006
(57)【要約】      （修正有）【課題】飛沫吸引を防止しかつ凍結路での転倒時の頭部保護、武道競技における頭部保護を図る透明シート付頭部保護具を提供する。【解決手段】透明シート付頭部保護具は、装着者の頭部保護部２と顔面を覆う可撓性透明シート１と該可撓性透明シート１を頭部保護部２へ取り付ける回転軸を有する取付部３からなり、頭部保護部２は帯状弾力性シートと該帯状弾力性シートを覆う布部材からなる。可撓性透明シート１で飛沫の飛散や吸引を防止し、帯状弾力性シートで凍結路での転倒時の頭部保護、武道競技における頭部保護を図る。【選択図】図１
0003230992.tif 000002
【実用新案登録請求の範囲】
【請求項１】
頭部保護部と顔面を覆う可撓性透明シートと該可撓性透明シートを頭部保護部へ取り付ける回転軸を有する取付部からなる透明シート付頭部保護具において
前記頭部保護部は帯状の弾力性シートと該帯状の弾力性シートを覆う布部材からなることを特徴とする透明シート付頭部保護具。
【請求項２】
前記頭部保護材に鉢金が取り付けられたことを特徴とする請求項１に記載の透明シート付頭部保護具。
【考案の詳細な説明】
【技術分野】
【０００１】
本考案は、飛沫吸引を防止しかつ凍結路での転倒時の頭部保護、武道競技における頭部保護を図る透明シート付頭部保護具に関する。
【背景技術】
【０００２】
従来の透明シートは、頭部に取り付けられる装着帯に透明シートを取り付けることにより顔面部前面からの飛沫の飛散や吸引を防止していた。
【先行技術文献】
【特許文献】
【０００３】
【特許文献１】実用新案登録第３２２０３２７号公報
【特許文献２】実用新案登録第３２２７０６７号公報
【特許文献３】実用新案登録第３２２８０２７号公報
【考案の概要】
【考案が解決しようとする課題】
【０００４】
従来の透明シートは、ポリプロピレン（ＰＰ）樹脂、非晶性ポリエチレンテレフタレート（Ａ−ＰＥＴ）樹脂、結晶性ポリエチレンテレフタレート（Ｃ −ＰＥＴ）樹脂、グリコール変性ポリエチレンテレフタレート(Ｇ−ＰＥＴ) 樹脂等の可撓性材を使用し、頭部周囲に装着した頭部装着帯に透明シートを固定していたので、飛沫の飛散や吸引を防止する効果はあったが、頭部装着帯の板厚が薄いため冬季の凍結路での転倒時の頭部保護には課題があった。また防具を装着しない合気道、杖道、剣道等の武道の試合でも、頭部保護が課題であった。
そこで本考案は、飛沫の飛散や吸引を防止しかつ凍結路での転倒時の頭部保護、武道競技における頭部保護を図る透明シート付頭部保護具を提供することを目的とする。
【課題を解決するための手段】
【０００５】
本考案によれば、頭部保護部と顔面を覆う可撓性透明シートと該可撓性透明シートを頭部保護部へ取り付ける回転軸を有する取付部からなる透明シート付頭部保護具において、前記頭部保護部は帯状の弾力性シートと該帯状の弾力性シートを覆う布部材からなることを特徴とする透明シート付頭部保護具が提供される。
また武道競技には頭部保護材に鉢金７が取り付けられて使用されることが好ましい。  
【考案の効果】
【０００６】
請求項１の考案によれば、飛沫の飛散や吸引を防止しかつ凍結路での転倒時の頭部保護を図ることができる。
請求項２の考案によれば、武道競技における頭部保護を図ることができる。
【図面の簡単な説明】
【０００７】
【図１】本考案による透明シート付頭部保護具を装着した一実施態様を説明する正面図である。
【図２】本考案による透明シート付頭部保護具を装着した一実施態様を説明する側面図である。
【図３】本考案による透明シート付頭部保護具を装着した別の実施態様を説明する正面図である。
【図４】本考案による透明シート付頭部保護具を装着した一実施態様を説明する平面図である。
【図５】本考案による透明シート付頭部保護具を装着した一実施態様を説明する背面図である。
【図６】本考案による透明シート付頭部保護具の断面図である。
【考案を実施するための形態】
【０００８】
本考案における透明シート付頭部保護具を装着した一実施態様について、添付図面を参照して説明する。
【実施例】
【０００９】
図１は、本考案による透明シート付頭部保護具を装着した一実施態様である。
装着者の顔面を覆う透明シート１は、ポリプロピレン（ＰＰ）樹脂、非晶性ポリエチレンテレフタレート（Ａ−ＰＥＴ）樹脂、結晶性ポリエチレンテレフタレート（Ｃ −ＰＥＴ）樹脂、グリコール変性ポリエチレンテレフタレート(Ｇ−ＰＥＴ) 樹脂等からなり厚さ０．５mmで可撓性を有する。頭部保護具２は、弾力性を有する帯状のＥＶＡスポンジシート６を装着者の頭部周囲に合わせて帯状加工したもので、ＥＶＡスポンジシート６に綿タオルを巻いた布部材５からなるヘッドバンドにより吸汗性と吸水性を確保する。ここでＥＶＡとはEthylene-Vinyl Acetate：エチレン-酢酸ビニル共重合樹脂の略称であって、ポリエチレンよりも柔軟性と弾力性を持つ熱可塑性合成樹脂のひとつである。透明シート１は、頭部保護具２に対し、取付部３を介して回動自在にボタンで取り付けられる。
【００１０】
図２は、本考案による透明シート付頭部保護具を装着した一実施態様を説明する側面図である。取付部３から延長した布状帯部材４は、頭部の後ろで頭部保護具２を締め付けるために設けられた締付部材である。
図３は、本考案による透明シート付頭部保護具を装着した別の実施態様を説明する正面図である。図３の頭部保護具２には、頭部顔面に鉢金７が取り付けられている。鉢金７は防具を装着しない合気道、杖道、剣道等の武道の試合で用いれられ、相手の剣から額を防御する。
【００１１】
図４は、本考案による透明シート付頭部保護具を装着した一実施態様を説明する平面図である。図５は本考案による透明シート付頭部保護具を装着した一実施態様を説明する背面図である。頭部保護具２の顔面側周囲には鉢金７が取り付けられ、頭部後面には頭部保護部２に布状帯部材４が取り付けられ、頭部を締め付けることによって頭部保護具の回動を防止する。
【００１２】
図６は、本考案による頭部保護具２の断面図である。頭部保護具２は、弾力性を有する帯状のＥＶＡスポンジシート６を綿タオル５からなる布部材で巻くことによって、凍結路での転倒時の頭部保護とヘッドバンド状に形成した綿タオル５により吸汗性と吸水性を確保する。なお、本考案の布部材の綿タオル５はパイル構造に編まれた綿の布地からなるが、生地に綿を使って平縫いにした手ぬぐいでもよい。
【符号の説明】
【００１３】
１  透明シート
２  頭部保護具
３  取付部
４  布状帯部材
５  綿タオル
６  帯状のＥＶＡスポンジシート
７  鉢金
【図１】
0003230992.tif 000003
【図２】
0003230992.tif 000004
【図３】
0003230992.tif 000005
【図４】
0003230992.tif 000006
【図５】
0003230992.tif 000007
【図６】
0003230992.tif 000008
(57)【要約】      （修正有）【課題】木材となる素材の持つ様々な有効成分をより多く放出することができ、小さな塊でも十分に機能を発することができる木塊を提供する。【解決手段】木片の一部分または全体にヒートシンク機能を摸した形状２を施し、表面積を増やすことで、付加価値が生まれ、更に木片が持つ主要成分を空気中や液体の中に放出しやすくした。【選択図】図３
0003231000.tif 000002
【実用新案登録請求の範囲】
【請求項１】
木片の一部分または全体にヒートシンク機能を摸して表面積を増やすことを特徴とする。
【考案の詳細な説明】
【技術分野】
【０００１】  本考案は、木製の花台、台座、コースター、芳香材、消臭材、入浴材等の素材の持つ主要成分が放出しやすくさせる為に、ヒートシンク機能を摸して素材の付加価値を上げ、更に表面積を増やしたものである。
【背景技術】
【０００２】  木材の持つ主要成分を利用した考案は、芳香系、消臭系が大半を占めるがそのほとんどが木片、木くずを利用した物である。
【先行技術文献】
【実用新案文献】
【０００３】
【実用新案文献１】
実登３０３８０２７
【実用新案文献２】
実登３０１４５３６
【考案の概要】
【考案が解決しようとする課題】
【０００４】  木片、木くず等を使用した従来の考案では、素材の主要成分の利用はできるが外見的に見栄えが悪く付加価値があるとはいいがたい、またそれを補うために袋等に入れて使用する状態となり、結果中身がよく判らない等の問題もでき、最終的に使用後ゴミとして廃棄される課題があった。
【課題を解決するための手段】
【０００５】  木片の一部分または全体にヒートシンク機能を摸して表面積を増やすことで、付加価値が生まれ更に木片が持つ主要成分を空気中や液体の中に放出しやすくした。
【考案の効果】
【０００６】  木材となる素材の持つ様々な有効成分を木片の本来の表面積より増やすことで、より多く放出することができるので、小さな塊でも十分に機能を発することができる。【０００７】  ヒートシンク形状も色々とでき、形状自体をデザインの一部とすることもできる。【０００８】  デザイン性と機能性が有り物体としての利用価値があるので、木くずや木片の様に用途終了後廃棄処分とはなりにくい。【０００９】  花台、台座に応用すると、従来では全面に漆やニス等が施してあり、ほとんど素材から出る香りを感じることができないが、考案の花台、台座ではヒートシンク形状を模した部分より素材の成分を感じることができる。【００１０】  コースターや入浴材に応用した場合濡れても、ヒートシンク形状の効果で乾きが早い。【００１１】  コースターに応用した時、冷たい飲み物を飲むときコップの水滴が木材に浸透して、コップの底に水溜まりが出来にく水滴が落ちない、また熱い飲み物を飲むときコップの熱がコースターには伝わるがヒートシンク機能でその下までは熱は伝わらない。【００１２】  木片の材料を針葉樹林系の抗菌、殺菌、効果のあるヒノキ材を利用し入浴材等に応用したときは、ヒノキの持つ有効成分とされるα―カジノール、ヒノキオール、αーピネン等の効果で、抗菌作用、鎮静作用、血行促進作用、鬱滞除去作用、消化促進作用、強壮作用、鎮痛作用、免疫強化作用、細胞収縮作用、森林浴作用、コーチゾン様作用、抗炎症作用、皮膚強壮作用、老化防止作用、水浄化作用等が期待できる。
【図面の簡単な説明】
【００１３】
【図１】  花台等を側面傾斜方向から見た図である。
【図２】  花台等の一部にヒートシンク形状を模した一例を示した下側傾斜方向から見た図である。
【図３】  台座、コースター、芳香材、消臭材、入浴材等の一面にヒートシンク形状を模した一例を示した側面傾斜方向から見た図である。
【図４】  台座、コースター、芳香材、消臭材、入浴材等の側面にヒートシンク形状を模した一例を示した側面方向から見た図である。
【図５】  台座、コースター、芳香材、消臭材、入浴材等の一面に丸型のヒートシンク形状を模した一例を示した側面傾斜方向から見た図である。
【図６】  台座、コースター、芳香材、消臭材、入浴材等の両面にヒートシンク形状を模した一例を示した側面傾斜方向から見た図である。
【図７】  台座、コースター、芳香材、消臭材、入浴材等の一面と側面に形状の異なるヒートシンク形状を模した一例を示した側面傾斜方向から見た図である。
【図８】  台座、コースター、芳香材、消臭材、入浴材等の側面にヒートシンク形状を模した一例を示した側面傾斜方向から見た図である。
【考案を実施するための形態】
【００１４】  花台、台座部裏側の一部または全体にヒートシンク形状を模した形状にする。
コースター、芳香材、消臭材、入浴材等の一部または全体にヒートシンク形状を模した形状にする。
ヒートシンク機能の形状は、多様に有りそれぞれの用途に合わせて選択する。
【実施例】
【００１５】  以下添付図に従って実施例を説明する。図１で示す木製花台、台座等木製品▲１▼は表面全体にニスや漆の加工が施してある状態が多く素材の成分を感じることが出来ない事を示すが、図２で示すように製品の外観を損なわない部分にヒートシンク機能を摸した加工▲２▼をすることが出来素材の有効成分を放出することが出来る。【００１６】  図３では、台座、コースター、芳香材、消臭材、入浴材等▲１▼の一面にヒートシンク形状▲２▼を模した一例でこのようにヒートシンク機能を摸することで、本来の木片の表面積よりはるかに広い表面積を得ることで、空気、水等に接する面積が増え素材の成分がより多く放出することが出来る。【００１７】  図３，４，５，６，７，８、では色々な素材形状▲１▼で色々なデザインのヒートシンク機能▲２▼▲３▼を摸した形状を示した物で、ヒートシンク機能の形状自体が一つのデザインとなり付加価値を示した例である。
【符号の説明】
【００１８】  ▲１▼  木製の素材となる形
▲２▼  ヒートシンク機能を摸した形状、部分
▲３▼  ヒートシンク機能を摸した形状、部分
【図１】
0003231000.tif 000003
【図２】
0003231000.tif 000004
【図３】
0003231000.tif 000005
【図４】
0003231000.tif 000006
【図５】
0003231000.tif 000007
【図６】
0003231000.tif 000008
【図７】
0003231000.tif 000009
【図８】
0003231000.tif 000010
【手続補正書】
【提出日】令和2年11月19日(2020.11.19)
【手続補正１】
【補正対象書類名】実用新案登録請求の範囲
【補正対象項目名】全文
【補正方法】変更
【補正の内容】
【実用新案登録請求の範囲】
【請求項１】
木片の一面または複数面または外周にヒートシンク機能を摸した溝や穴を設けた放出機能を持つ木塊。
【手続補正２】
【補正対象書類名】明細書
【補正対象項目名】０００５
【補正方法】変更
【補正の内容】
【０００５】    木片の一面または複数面または外周にヒートシンク機能を摸した溝や穴を設け表面積を増やす形状にすることで、付加価値が生まれ更に木片が持つ主要成分を空気中や液体の中に放出しやすくした。
(57)【要約】      （修正有）【課題】堤防などで魚釣りをするときなどにおいて、水面から水を汲む際に、横向きまたは逆さにしたまま水面に落ち、水を汲み終ったら上向きになるバケツを提供する。【解決手段】バケツの外部側面の底部附近に突起物２を設け、引き上げるためのロープ４に洗濯ばさみ等３、突起物２を挟むことができる物を付ける。バケツを水面に静かに落とし、バケツが水中に没したところでロープ４を引き、洗濯ばさみ等３から突起物２を離し、バケツを引き上げる。【選択図】図１
0003230990.tif 000002
【実用新案登録請求の範囲】
【請求項１】
外部側面の底部附近に突起物を設け、引き上げるためのロープに洗濯ばさみ等、突起物を挟むことができる物を付けたバケツ等容器
【考案の詳細な説明】
【技術分野】
【０００１】
本考案は、堤防などで魚釣りをするときなどにおいて、海面などから水を汲む際、バケツを逆さにして水を容易に汲めるようにすることに関したものである。
【背景技術】
【０００２】
堤防などで魚釣りをするときなど、バケツなどの容器を水面に落として水を汲むのだが、ロープを結びつけた取っ手がバケツの上部にあるため、バケツが横向きまたは逆さになかなかならず、一苦労して水を汲むのが現状である。
【先行技術文献】
【特許文献】
【０００３】
【特許文献１】特開2006-230366、特開2003-079298
【非特許文献】
【０００４】
【非特許文献１】実全昭63-153945
【考案の概要】
【考案が解決しようとする課題】
【０００５】
堤防などで魚釣りをするときなど、バケツなどの容器を水面に落として水を汲むのだが、ロープを結びつけた取っ手がバケツの上部にあるため、バケツが横向きまたは逆さになかなかならず、一苦労して水を汲むのが現状である。
【０００６】
そこで、最初からバケツを横向きまたは逆さにしたまま水面に落ちるようにし、水を汲み終わったらバケツがちゃんと上向きになるようにする。
【課題を解決するための手段】
【０００７】
バケツの外部側面の底部附近に突起物を設ける。
【０００８】
バケツを引き上げるためのロープに洗濯ばさみ等、突起物を挟むことができる物を付ける。
【０００９】
バケツを水面に落とす際、洗濯ばさみ等で突起物を挟み、バケツを水面に落とす。
【００１０】
バケツが水面に没したところで、ロープを引く。
【００１１】
バケツに入った水の重みで、洗濯ばさみ等から突起物が離れ、バケツは上に向いた状態で引き上げられる。
【考案の効果】
【００１２】
バケツに容易に水を汲むことが可能となる。
【図面の簡単な説明】
【００１３】
【図１】考案の一式を斜め横から見た図である。
【考案を実施するための形態】
【００１４】
突起物は、可能な限り小さいほうが良い。
【００１５】
また、邪魔にならないようにとの観点から、ひも等の柔らかい素材が望ましい。
【００１６】
洗濯ばさみ等は、突起物を挟むことができ、強く引けば離れる物であれば良いが、さびや劣化などの観点から、ステンレススチール製が望ましい。
【実施例】
【００１７】
洗濯ばさみ等で突起物を挟み、静かにバケツを水面に落とし、バケツが水中に没したところでロープを引き、洗濯ばさみ等から突起物を離し、バケツを引き上げる。
【産業上の利用可能性】
【００１８】
魚釣りにおける水汲みだけでなく、掘りぬき井戸からの水汲みや、その他、下方にある液状物質を汲み上げる際にも利用可能である。
【符号の説明】
【００１９】
１  バケツ本体
２  突起物
３  洗濯ばさみ等
４  ロープ
５  取っ手
【図１】
0003230990.tif 000003